(57)【特許請求の範囲】
【請求項１】
複数の走査線と複数の画素とを備え、前記複数の画素のうち一の画素に第１の電極と第２の電極と電気光学物質層とを有する電気光学装置の駆動方法であって、
前記複数の画素によって表示される画像を書き換えるときに、
前記第１の電極に第１の電圧を印加し、前記第２の電極に第２の電圧を印加することで前記一の画素の第１の表示状態を選択し、
前記第１の電極に前記第１の電圧を印加し、前記第２の電極に前記第１の電圧に対して前記第２の電圧と逆極性である第３の電圧を印加することで前記一の画素の第２の表示状態を選択し、
前記画像の一部を書き換えるときには、
前記第１の電極に前記第１の電圧とは異なる第４の電圧を印加し、前記第２の電極に前記第１の電圧に対して前記第４の電圧とは極性が異なる第５の電圧を印加することで、前記一の画素の前記第１の表示状態と前記第２の表示状態のうちいずれかの表示状態を選択し、
前記画像の一部を書き換えるときに、前記第４の電圧と前記第５の電圧の少なくとも一方の電圧を、書き換え対象の画素に接続された走査線の本数に応じて変化させることを特徴とする電気光学装置の駆動方法。
【請求項２】
前記第５の電圧と前記第４の電圧との電位差の絶対値が、前記第２の電圧と前記第１の電圧との電位差の絶対値、及び前記第３の電圧と前記第１の電圧との電位差の絶対値よりも大きいことを特徴とする請求項１に記載の電気光学装置の駆動方法。
【請求項３】
前記画像の一部を書き換えるときに、前記第４の電圧と前記第５の電圧の少なくとも一方の電圧を、書き換える領域の大きさに応じて変化させることを特徴とする請求項１又は２に記載の電気光学装置の駆動方法。
【請求項４】
前記画素に対応する座標を入力する入力装置を備えており、
前記入力装置から供給される座標値に基づいて前記書き換え対象の画素に接続された走査線の本数を算出することを特徴とする請求項３に記載の電気光学装置の駆動方法。
【請求項５】
複数の走査線と複数の画素とを備え、前記複数の画素のうち一の画素に第１の電極と第２の電極と電気光学物質層とを有する電気光学装置であって、
前記複数の画素によって表示される画像が書き換えられるときに、
前記複数の画素のうち第１の画素には、前記第１の電極に第１の電圧が印加されるとともに、前記第２の電極に第２の電圧が印加されることによって第１の表示状態が選択され、
前記複数の画素のうち第２の画素には、前記第１の電極に前記第１の電圧が印加されるとともに、前記第２の電極に前記第１の電圧に対して前記第２の電圧と逆極性である第３の電圧が印加されることによって第２の表示状態が選択され、
前記画像の一部が書き換えられるときには、
前記複数の画素のうち選択的に駆動される画素の前記第１の電極に前記第１の電圧とは異なる第４の電圧が印加され、前記第２の電極に前記第１の電圧に対して前記第４の電圧とは極性が異なる第５の電圧が印加され、前記第４の電圧と前記第５の電圧の少なくとも一方の電圧を、書き換え対象の画素に接続された走査線の本数に応じて変化させる
ことを特徴とする電気光学装置。
【発明の詳細な説明】
【技術分野】
【０００１】
本発明は、電気光学装置の駆動方法、及び電気光学装置に関するものである。
【背景技術】
【０００２】
電気泳動表示装置を用いた電子ペーパー端末が実用化されている。この種の電子ペーパー端末では、通常のページ単位での表示切り替えについては実用的な速度が得られていたが、手書き入力や動画表示において表示切り替え速度のさらなる高速化が求められていた。
【０００３】
一方、電気泳動表示装置において画像書き換え時間を短縮する方法としては、例えば下記特許文献１記載の駆動方法が挙げられる。かかる駆動方法では、各画素への画像信号入力を行った後に、共通電極に周期的な矩形波を供給してコントラストを上昇させる。これにより、画像書き換え時間を短縮した場合にも表示品質を確保することが可能であった。
【先行技術文献】
【特許文献】
【０００４】
【特許文献１】特開２００８−１８０９７４号公報
【発明の概要】
【発明が解決しようとする課題】
【０００５】
しかし、特許文献１記載の駆動方法は、手書き入力等のように表示部の一部のみを書き換える場合を想定したものではなかった。すなわち、書き換える領域の広さにかかわらず、共通電極に矩形波を入力してコントラストを上昇させる期間（１〜２秒）が必要であるため、部分書き換えと全面書き換えとで画像更新に要する時間がほぼ同等であった。
【０００６】
本発明は、上記従来技術の問題点に鑑み成されたものであって、部分的な表示更新を高速に実行できる電気光学装置の駆動方法及び電気光学装置を提供することを目的の一つとする。
【課題を解決するための手段】
【０００７】
本発明の電気光学装置の駆動方法は、複数の走査線と複数の画素とを備え、前記複数の画素のうち一の画素に第１の電極と第２の電極と電気光学物質層とを有する電気光学装置の駆動方法であって、前記複数の画素によって表示される画像を書き換えるときに、前記第１の電極に第１の電圧を印加し、前記第２の電極に第２の電圧を印加することで前記一の画素の第１の表示状態を選択し、前記第１の電極に前記第１の電圧を印加し、前記第２の電極に前記第１の電圧に対して前記第２の電圧と逆極性である第３の電圧を印加することで前記一の画素の第２の表示状態を選択し、前記画像の一部を書き換えるときには、前記第１の電極に前記第１の電圧とは異なる第４の電圧を印加し、前記第２の電極に前記第１の電圧に対して前記第４の電圧とは極性が異なる第５の電圧を印加することで、前記一の画素の前記第１の表示状態と前記第２の表示状態のうちいずれかの表示状態を選択し、前記画像の一部を書き換えるときに、前記第４の電圧と前記第５の電圧の少なくとも一方の電圧を、書き換え対象の画素に接続された走査線の本数に応じて変化させることを特徴とする。
【０００８】
この駆動方法では、複数の画素によって表示される画像を書き換えるときに、一の画素においては、第１の電極に第１の電圧が印加されるとともに、第２の電極に第２の電圧が印加されることで、第１の表示状態が選択され、他の画素においては、第１の電極に第１の電圧が印加されるとともに、第２の電極に第１の電圧に対して前記第２の電圧と逆極性である第３の電圧が印加されることで、第２の表示状態が選択される。そのため、２つの画素の表示状態を、それぞれ異なる表示状態に同時に移行させることができるので、その結果、高速に画像を書き換えることができる。
そして、画像の一部を書き換えるために複数の画素のうち一部の画素の表示状態を変化させる場合には、書き換え対象画素の第１の電極には第４の電圧が印加され、第１の電圧に対して第４の電圧とは極性が異なる第５の電圧が第２の電極に印加される。そのため、複数の画素によって表示される画像を書き換えるときと比較して、書き換え対象画素の電気光学物質層に印加される電圧をより大きくすることができ、その結果、画素の表示状態をより高速に変更できる。
【０００９】
前記第５の電圧と前記第４の電圧との電位差の絶対値が、前記第２の電圧と前記第１の電圧との電位差の絶対値、及び前記第３の電圧と前記第１の電圧との電位差の絶対値よりも大きいことが好ましい。
この駆動方法によれば、画像の一部を書き換えるときに、複数の画素によって表示される画像を書き換えるときと比較して、電気光学物質層に印加する電圧をより大きくすることができ、部分的な表示更新を高速に実行することができる。
【００１０】
前記画像の一部を書き換えるときに、前記第４の電圧と前記第５の電圧の少なくとも一方の電圧を、書き換える領域の大きさに応じて変化させることも好ましい。
書き換える領域が小さい場合には、複数の画素に対する画像信号の入力が短時間で終了してしまうため、応答の遅い電気光学物質層を用いていると、所望のコントラストの表示が得られない場合がある。そこで上記駆動方法のように、書き換える領域の大きさに応じて電圧を異ならせることとすれば、領域が小さい場合にも電気光学物質層の駆動時間を確保することができ、所望のコントラストの表示を得ることができる。
【００１１】
複数の走査線をさらに備えており、前記画像の一部を書き換えるときに、前記第４の電圧と前記第５の電圧の少なくとも一方の電圧を、書き換え対象の画素に接続された走査線の本数に応じて変化させることが好ましい。
このように選択信号を供給する走査線の本数に応じて電圧を異ならせることとすれば、部分駆動用の画像データの生成時に電圧の設定値も容易に取得できるため、簡便な駆動方法で高画質の表示を得ることができる。
【００１２】
前記画素に対応する座標を入力する入力装置を備えており、前記入力装置から供給される座標値に基づいて前記書き換え対象の画素に接続された走査線の本数を算出することが好ましい。この駆動方法によれば、入力装置を介した座標入力の結果を高速に表示に反映させることができる。
【００１３】
複数の走査線と複数の画素とを備え、前記複数の画素のうち一の画素に第１の電極と第２の電極と電気光学物質層とを有する電気光学装置であって、前記複数の画素によって表示される画像が書き換えられるときに、前記複数の画素のうち第１の画素には、前記第１の電極に第１の電圧が印加されるとともに、前記第２の電極に第２の電圧が印加されることによって第１の表示状態が選択され、前記複数の画素のうち第２の画素には、前記第１の電極に前記第１の電圧が印加されるとともに、前記第２の電極に前記第１の電圧に対して前記第２の電圧と逆極性である第３の電圧が印加されることによって第２の表示状態が選択され、前記画像の一部が書き換えられるときには、前記複数の画素のうち選択的に駆動される画素の前記第１の電極に前記第１の電圧とは異なる第４の電圧が印加され、前記第２の電極に前記第１の電圧に対して前記第４の電圧とは極性が異なる第５の電圧が印加され、前記第４の電圧と前記第５の電圧の少なくとも一方の電圧を、書き換え対象の画素に接続された走査線の本数に応じて変化させることを特徴とする。
【００１４】
かかる構成を備えた電気光学装置によれば、複数の画素によって表示される画像を書き換えるときに、一の画素においては、第１の電極に第１の電圧が印加されるとともに、第２の電極に第２の電圧が印加されることで、第１の表示状態が選択され、他の画素においては、第１の電極に第１の電圧が印加されるとともに、第２の電極に第１の電圧に対して前記第２の電圧と逆極性である第３の電圧が印加されることで、第２の表示状態が選択される。そのため、２つの画素の表示状態を、それぞれ異なる表示状態に同時に移行させることができるので、その結果、高速に画像を書き換えることができる。
そして、画像の一部を書き換えるために複数の画素のうち一部の画素の表示状態を変化させる場合には、書き換え対象画素の第１の電極には第４の電圧が印加され、第１の電圧に対して第４の電圧とは極性が異なる第５の電圧が第２の電極に印加される。そのため、複数の画素によって表示される画像を書き換えるときと比較して、書き換え対象画素の電気光学物質層に印加される電圧をより大きくすることができ、その結果、画素の表示状態をより高速に変更できる。
【００１５】
上記電気光学装置においても、前記第５の電圧と前記第４の電圧との電位差の絶対値が、前記第２の電圧と前記第１の電圧との電位差の絶対値、及び前記第３の電圧と前記第１の電圧との電位差の絶対値よりも大きいことが好ましい。
また、前記画像の一部を書き換えるときに、前記第４の電圧と前記第５の電圧の少なくとも一方の電圧を、書き換える領域の大きさに応じて異なる電圧とすることも好ましい。
また、前記画素に接続された複数の走査線を備えており、前記画像の一部を書き換えるときに、前記第４の電圧と前記第５の電圧の少なくとも一方の電圧が、書き換え対象の前記画素が接続された前記走査線の本数に応じて異なる電圧とされることも好ましい。
また、前記画素に対応する座標を入力する入力装置を備えており、前記入力装置から供給される座標値に基づいて前記走査線の本数が算出されることも好ましい。
【図面の簡単な説明】
【００１６】
【図１】実施形態に係る電子ブックリーダーの外観図。
【図２】実施形態に係る電子ブックリーダーの内部構成を示すブロック図。
【図３】電気光学パネルの電気的構成を示す図。
【図４】走査線駆動回路の一構成例を示す図。
【図５】ペン入力表示動作のフローチャート。
【図６】駆動シーケンスを構成する各動作における駆動波形を示す図。
【図７】電気泳動素子の動作説明図。
【図８】第２実施形態の駆動シーケンスにおける駆動波形を示す図。
【図９】第３実施形態の駆動シーケンスにおける駆動波形を示す図。
【発明を実施するための形態】
【００１７】
（第１実施形態）
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１８】
本実施形態の電気光学装置は、所定のページに区切られたドキュメントからなる電子ブック等を閲覧できる電子ブックリーダーである。
図１は、本実施形態の電子ブックリーダー１００の外観図である。図２は、本実施形態の電子ブックリーダー１００の内部構成を示すブロック図である。
【００１９】
図１に示すように、電子ブックリーダー１００は、筐体１０１と、筐体１０１の一方の面に形成された矩形状の開口部１０１ａに装着された入力装置１１４と、入力装置１１４の背面に配置された電気光学パネル１１２と、を備えている。筐体１０１には、ページ送りボタン１０５と、ページ戻しボタン１０６と、決定ボタン１０８と、スキップ送りボタン１１５と、スキップ戻しボタン１１６とを含む操作部１１３が設けられている。
【００２０】
入力装置１１４は、ペン２００（スタイラス）を表面で摺動させる操作による座標入力が可能な座標入力装置である。入力装置１１４としては特に限定されず、種々の形態のものを用いることができる。具体的には、以下の（１）〜（４）の方式を例示することができる。
【００２１】
（１）容量性アレイ又は抵抗性アレイに対してスタイラスの先端部を直接接触させる方式。
（２）ユーザがデータを入力し、所望の動作を実行する際に磁気先端構造のスタイラスあるいは電磁界発生型のスタイラスと相互作用する電磁デジタイザを用いる方式。
（３）デジタイジングアレイに信号を送信するためのＲＦ送信器を備えたスタイラスを用いるタイプ。
（４）入力面から反射するようにスタイラスの先端部内に配置される可視光源あるいは赤外光源のような光源を組み込む方式。
【００２２】
なお、図１では電気光学パネル１１２の前面側に入力装置１１４を配置しているが、入力装置１１４の方式が上記（２）又は（３）、あるいは（１）のうち容量性アレイを備えたものである場合には、電気光学パネル１１２の背面側に入力装置１１４を配置することもできる。
【００２３】
ページ送りボタン１０５は、電気光学パネル１１２に現在表示されているドキュメント（電子ブック）の次ページ以降を、１回ボタンを押す毎に１ページずつ送って表示させる機能を起動する操作部である。ページ戻しボタン１０６はドキュメントの前ページ以前を、１回ボタンを押す毎に１ページずつさかのぼって表示させる機能を起動する操作部である。
スキップ送りボタン１１５は、１回ボタンを押す毎に、例えば１０ページ先のページを表示させる機能を起動する操作部である。スキップ戻しボタン１１６は、１回ボタンを押す毎に、例えば１０ページ前のページを表示させる機能を起動する操作部である。スキップ送りボタン１１５及びスキップ戻しボタン１１６のページスキップ数は任意に設定することができる。
【００２４】
電子ブックリーダー１００は、図２に示すように、ＣＰＵ（Central Processing Unit；制御部）１０２、表示部制御装置１１０、記憶装置１１１、電気光学パネル１１２、操作部１１３、入力装置１１４、ＶＹ電源１６１、ＶＸ電源１６２、及び共通電源１６３を備えている。
【００２５】
なお、図２に示すＣＰＵ１０２には、図示略のワークメモリ及びプログラムメモリが接続されている。ワークメモリはＣＰＵ１０２の作業領域を構成するＲＡＭ（Random Access Memory）であり、プログラムメモリは各種プログラムを保持したＲＯＭ（Read Only Memory）である。これらのワークメモリやプログラムメモリは、記憶装置１１１に含まれていてもよく、記憶装置１１１とは別の記憶装置として設けられていてもよい。あるいは、ＣＰＵ１０２にワークメモリやプログラムメモリが内蔵されている構成としてもよい。
【００２６】
ＣＰＵ１０２は、プログラムメモリに格納された基本制御プログラムやアプリケーションプログラム等の各種プログラム及びデータを読み込み、それら各種プログラム及びデータをワークメモリ（図示略）内に設けられるワークエリアに展開実行して、電子ブックリーダーが備える各部の制御を実行する。
ＣＰＵ１０２には、表示部制御装置１１０と操作部１１３と入力装置１１４とが接続されている。表示部制御装置１１０には電気光学パネル１１２及び共通電源１６３が接続され、電気光学パネル１１２にＶＹ電源１６１とＶＸ電源１６２が接続されている。
【００２７】
操作部１１３は、図１に示したページ送りボタン１０５、ページ戻しボタン１０６、決定ボタン１０８、スキップ送りボタン１１５、及びスキップ戻しボタン１１６を含み、いずれかのボタンが操作（押下）されると、押されたボタンに対応する信号（パルス）がＣＰＵ１０２に出力される。
【００２８】
入力装置１１４は、ペン２００により指示された位置を検出し、ペン２００の接触位置の座標（入力座標値）をＣＰＵ１０２に出力する装置である。ペン２００を入力面（電子ブックリーダー１００の表示面）上で摺動させると、ペン２００の軌跡に対応する入力座標値を連続して出力する。ＣＰＵ１０２は、入力装置１１４から供給された入力座標値に基づいてペン２００の軌跡に対応する画像を生成し、表示部制御装置１１０に出力する。
【００２９】
表示部制御装置１１０は、全体制御部１４０と、画像データ書込制御部１４１と、タイミング信号生成部１４２と、共通電源制御部１４３と、記憶装置制御部１４４と、画像データ読出制御部１４５と、画像信号生成部１４６と、選択信号生成部１４７とを有する。
全体制御部１４０には、画像データ書込制御部１４１と、タイミング信号生成部１４２と、共通電源制御部１４３とが接続されている。画像データ書込制御部１４１には記憶装置制御部１４４が接続されている。タイミング信号生成部１４２には画像データ読出制御部１４５と画像信号生成部１４６と選択信号生成部１４７とが接続されている。共通電源制御部１４３には共通電源１６３が接続されている。
表示部制御装置１１０は、全体制御部１４０においてＣＰＵ１０２と接続され、画像信号生成部１４６及び選択信号生成部１４７において電気光学パネル１１２と接続され、記憶装置制御部１４４において記憶装置１１１と接続されている。
【００３０】
記憶装置１１１は、いずれもＲＡＭからなる前画像保持部１２０と次画像保持部１２１とを備えている。前画像保持部１２０は電気光学パネル１１２に表示させた後の画像データ（現在表示されている画像に対応する画像データ）を保持する記憶領域であり、次画像保持部１２１は電気光学パネル１１２にこれから表示させる画像データ（更新画像に対応する画像データ）を保持する記憶領域である。
前画像保持部１２０及び次画像保持部１２１はいずれも表示部制御装置１１０の記憶装置制御部１４４と接続されており、表示部制御装置１１０は、記憶装置制御部１４４を介して記憶装置１１１に画像データの読み書きを実行する。
【００３１】
電気光学パネル１１２は、電気泳動素子やコレステリック液晶素子などの記憶性表示素子を備えた表示部１５０と、表示部１５０に接続された走査線駆動回路１５１及びデータ線駆動回路１５２と、を備えている。表示部１５０には共通電源１６３が接続されている。走査線駆動回路１５１には、ＶＹ電源１６１と、表示部制御装置１１０の選択信号生成部１４７とが接続されている。データ線駆動回路１５２には、ＶＸ電源１６２と、表示部制御装置１１０の画像信号生成部１４６が接続されている。
【００３２】
ここで図３は、電気光学パネル１１２の電気的構成を示す図であり、図４は、走査線駆動回路の一構成例を示す図である。
電気光学パネル１１２の表示部１５０には、図２に示すように、図示のＸ軸方向に延在する複数の走査線Ｇ（Ｇ１、Ｇ２、…、Ｇｍ）と、Ｙ軸方向に延在する複数のデータ線Ｓ（Ｓ１、Ｓ２、…、Ｓｎ）とが形成されている。走査線Ｇとデータ線Ｓとの交差部に対応して画素１０が形成されている。画素１０は、Ｙ軸方向に沿ってｍ個、Ｘ軸方向に沿ってｎ個のマトリクス状に配列されており、各々の画素１０に走査線Ｇとデータ線Ｓとが接続されている。また表示部１５０には、共通電源１６３から延びる共通電極配線ＣＯＭと容量線Ｃとが形成されている。
【００３３】
画素１０には、画素スイッチング素子としての選択トランジスタ２１と、保持容量２２と、画素電極２４と、共通電極２５と、電気光学物質層２６とが形成されている。
選択トランジスタ２１はＮ−ＭＯＳ（Negative-channel Metal Oxide Semiconductor）ＴＦＴで構成されている。選択トランジスタ２１のゲートに走査線Ｇが接続され、ソースにデータ線Ｓが接続され、ドレインには保持容量２２の一方の電極と画素電極２４とが接続されている。
保持容量２２は、誘電体膜を介して対向配置された一対の電極からなる。保持容量２２の一方の電極は選択トランジスタ２１のドレインに接続され、他方の電極は容量線Ｃに接続されている。保持容量２２によって選択トランジスタ２１を介して書き込まれた画像信号を一定期間だけ維持することができる。
電気光学物質層２６は、電気泳動素子やコレステリック液晶素子、電子粉粒素子などからなる。例えば電気泳動素子としては、電気泳動粒子と分散媒とが封入されたマイクロカプセルを配列したものや、隔壁と基板により区画された空間に電気泳動粒子と分散媒とを封入したものが挙げられる。
【００３４】
走査線駆動回路１５１は、表示部１５０に形成された走査線Ｇと接続されており、各々の走査線Ｇを介してそれぞれ対応する行の画素１０に接続されている。走査線駆動回路１５１は、図２に示したタイミング信号生成部１４２から選択信号生成部１４７を介して供給されるタイミング信号に基づいて、走査線Ｇ１、Ｇ２、…、Ｇｍの各々に選択信号をパルス状に順次供給し、走査線Ｇの一本一本を排他的に順次選択状態にする。選択状態とは、走査線Ｇに接続される選択トランジスタ２１がオンしている状態である。
【００３５】
また本実施形態の場合、走査線駆動回路１５１に一部の走査線Ｇのみを選択可能にする機能が備えられている。具体的には、図４にその一部を示すように、走査線駆動回路１５１が、シフトレジスタ１５１ａと、各々の走査線Ｇに対応して設けられたＡＮＤ回路１５１ｂと、レベルシフタ１５１ｃとを含む構成とされている。ＡＮＤ回路１５１ｂには、シフトレジスタ１５１ａの各段の出力信号と、シフトレジスタ１５１ａの出力信号に同期して選択信号生成部１４７から供給されるイネーブル信号ＥＮＢとが入力される。これらの入力信号がいずれもハイレベルであるときにのみ、ＡＮＤ回路１５１ｂの出力端子からレベルシフタ１５１ｃにハイレベルの信号が出力される。かかる構成により、イネーブル信号ＥＮＢへの入力波形によって各行の走査線Ｇへの選択信号の供給と停止をスイッチング制御することができる。
【００３６】
上記構成の走査線駆動回路１５１により１００〜２００行目の走査線Ｇにのみ選択信号を供給する場合には、１００〜２００行目の走査線Ｇが選択されるタイミングで、これら１００〜２００行目の走査線Ｇに対応するＡＮＤ回路１５１ｂに、ハイレベルのイネーブル信号ＥＮＢが入力され、ＡＮＤ回路１５１ｂからレベルシフタ１５１ｃを介して走査線Ｇにハイレベルの選択信号が供給される。
一方、その他の１〜９９行目、及び２０１行目以降の走査線Ｇに接続されたＡＮＤ回路１５１ｂには、それらの走査線Ｇが選択されるタイミングでローレベルのイネーブル信号ＥＮＢが入力される。これにより、シフトレジスタ１５１ａの出力信号はＡＮＤ回路１５１ｂで遮断され、走査線Ｇに選択信号は入力されない。
なお、上記の走査線駆動回路１５１の構成は一例であり、任意の行の走査線Ｇに対して選択的に信号を入力できる構成であれば、他の構成であっても構わない。
【００３７】
データ線駆動回路１５２は、表示部１５０に形成されたデータ線Ｓと接続されており、各々のデータ線Ｓを介してそれぞれ対応する列の画素１０に接続されている。データ線駆動回路１５２は、タイミング信号生成部１４２から画像信号生成部１４６を介して供給されるタイミング信号に基づいて、データ線Ｓ１、Ｓ２、…、Ｓｎに画像信号生成部１４６で生成された画像信号を供給する。
【００３８】
なお、後述する動作説明では、画像信号はハイレベル電位ＶＨ（例えば１５Ｖ）又はローレベル電位ＶＬ（例えば０Ｖや−１５Ｖ）の２値的な電位をとるものとしている。また本実施形態では、黒色（第１の表示状態）が表示されるべき画素１０に対してハイレベルの画像信号（ＶＨ）が供給され、白色（第２の表示状態）が表示されるべき画素１０に対してローレベルの画像信号（ＶＬ）が供給されるものとする。
【００３９】
また、共通電極２５には、共通電源１６３から電位Ｖcomが供給され、容量線Ｃには、共通電源１６３から電位Ｖｓｓが供給される。
ただし後述する動作説明では、説明の簡単のために、共通電極２５の電位Ｖcomは、ローレベル電位ＶＬ（例えば０Ｖや−１５Ｖ）、又はハイレベル電位ＶＨ（例えば１５Ｖ）の２値的な電位をとるものとする。また容量線Ｃの電位Ｖｓｓは、基準電位ＧＮＤ（例えば０Ｖ）に固定されているものとする。
【００４０】
なお、本実施形態では走査線駆動回路１５１とデータ線駆動回路１５２とを備えたアクティブマトリクス方式の電気光学パネル１１２を示したが、電気光学パネル１１２としては、パッシブマトリクス方式やセグメント駆動方式の電気光学パネルであってもよい。これらの方式であっても、表示部１５０の一部の画素１０を選択的に駆動することができ、後述する駆動方法を適用して画像表示を行うことができる。
【００４１】
（ペン入力表示動作）
次に、電子ブックリーダー１００におけるペン入力表示動作について、図面を参照しつつ説明する。
本実施形態の電子ブックリーダー１００は、ペン２００を用いた入力装置１１４に対する座標入力により、ペン２００の軌跡を電気光学パネル１１２に表示させたり（線書き込み動作）、電気光学パネル１１２上の画像成分をペン２００の軌跡に沿って消去する（消しゴム動作）ことができる。
なお、電気光学パネル１１２上に表示されたアイコン等をペン２００でタッチすることにより、動作モードを切り換えたり、表示画像の更新や拡大、縮小などの操作を行うことも可能である。
【００４２】
以下、図５から図７を参照しつつ、本実施形態のペン入力表示動作について詳細に説明する。
図５は、本実施形態の電子ブックリーダー１００におけるペン入力表示動作のフローチャートである。図６は、駆動シーケンスを構成する各動作における駆動波形を示す図である。図７は、電気泳動素子の動作説明図である。
【００４３】
本実施形態では、発明を理解しやすくするために電気光学物質層２６が電気泳動素子であるとして説明することとし、まず、図７を参照して電気泳動素子の動作について説明する。
図７（ａ）は、画素を白表示する場合、図７（ｂ）は、画素を黒表示する場合をそれぞれ示している。
【００４４】
図７（ａ）に示す白表示の場合には、共通電極２５が相対的に高電位、画素電極２４が相対的に低電位に保持される。これにより、負に帯電した白色粒子２７が共通電極２５に引き寄せられる一方、正に帯電した黒色粒子２８が画素電極２４に引き寄せられる。その結果、表示面側となる共通電極２５側からこの画素を見ると、白色（Ｗ）が認識される。
図７（ｂ）に示す黒表示の場合、共通電極２５が相対的に低電位、画素電極２４が相対的に高電位に保持される。これにより、正に帯電した黒色粒子２８が共通電極２５に引き寄せられる一方、負に帯電した白色粒子２７が画素電極２４に引き寄せられる。その結果、共通電極２５側からこの画素を見ると黒色（Ｂ）が認識される。
【００４５】
本実施形態のペン入力表示動作は、図５に示すステップＳ１０１〜Ｓ１０８を含む。図５には、ペン２００による座標入力を検知してから、入力に対応した画像表示動作を実行するまでの一連の動作が示されている。
【００４６】
まず、ステップＳ１０１において、ＣＰＵ１０２が入力装置１１４からの入力信号を検出すると、ステップＳ１０２に移行し、ペン入力表示動作が開始される。
ステップＳ１０２において、ＣＰＵ１０２は、電子ブックリーダー１００が手書き入力モードであるか否かを判定する。すなわち、入力装置１１４上を摺動させたペン２００の軌跡を電気光学パネル１１２の表示画像に反映させるモードであるか否かを判定する。判定の結果、手書き入力モードであれば、ステップＳ１０３に移行する。一方、ステップＳ１０２において、手書き入力モードではないと判定された場合には、ステップＳ１０８に移行する。
【００４７】
ステップＳ１０３に移行すると、ＣＰＵ１０２は入力装置１１４から出力される入力座標値を取得する。その後、ステップＳ１０４において、ＣＰＵ１０２は、電子ブックリーダー１００が線書き込みモードであるか否かを判定する。本明細書において、線書き込みモードとは、ペン２００の軌跡に対応して文字や直線などを書き込むモードを意味している。線書き込みモードであると判定された場合にはステップＳ１０５に移行する。一方、線書き込みモードではないと判定された場合、すなわち消しゴムモードである場合には、ステップＳ１０６に移行する。本明細書において、消しゴムモードとは、書き込んだ文字や直線などを消去するモードを意味している。
【００４８】
ここで、ステップＳ１０２の判定結果により分岐されるステップＳ１０８、及びステップＳ１０４の判定結果により分岐されるステップＳ１０５、Ｓ１０６では、それぞれ、電子ブックリーダー１００の動作モードに応じた駆動シーケンスの設定が行われる。以下、各駆動シーケンスの詳細について表１、２及び図６を参照しつつ説明する。
【００４９】
表１は、動作モードと駆動シーケンスの対応関係を示す表であり、表２は、各駆動シーケンスの構成比較表である。また、図６には、各駆動シーケンスにおいて画素電極２４及び共通電極２５に入力される波形が示されている。
【００５０】
【表１】
0005447017.tif 000002
【００５１】
【表２】
0005447017.tif 000003
【００５２】
まず、ステップＳ１０８は、ステップＳ１０２において手書き入力モードではない通常モードにあると判定された場合に実行される。ステップＳ１０８において、ＣＰＵ１０２は、表示部制御装置１１０に対して通常駆動シーケンスＳＱ１１を設定する。
通常駆動シーケンスＳＱ１１は、画像ファイル等の画像データを電気光学パネル１１２に表示させる場合等に用いられる駆動シーケンスである。通常駆動シーケンスＳＱ１１では、図６（ａ）及び表２に示すように、画素１０を所定の階調（表示状態）に移行させる画像表示ステップＳＴ１１において、共通電極２５が基準電位ＧＮＤに設定される。本明細書では、通常駆動シーケンスＳＱ１１において共通電極２５に印加される電位よりも高い電位を正極性の電位と呼び、通常駆動シーケンスＳＱ１１において共通電極２５に印加される電位よりも低い電位を負極性の電位、と呼ぶ。また、通常駆動シーケンスＳＱ１１において共通電極２５に印加される電位を基準電位ＧＮＤと呼ぶ。
そして、黒表示される画素１０では、画素電極２４（電位Ｖｓ）に基準電位ＧＮＤに対して正極性のハイレベル電位ＶＨが入力され、白表示される画素１０では、画素電極２４に基準電位ＧＮＤに対して負極性のローレベル電位ＶＬが入力される。すなわち、通常駆動シーケンスＳＱ１１では、画像の書き換えに際して、一の画素１０において黒表示が選択されると同時に、他の画素１０では白表示が選択される。
【００５３】
次に、線書き込みモードである場合に実行されるステップＳ１０５では、ＣＰＵ１０２は、表示部制御装置１１０に対して線書き込み用高速駆動シーケンスＳＱ１２を設定する。線書き込み用高速駆動シーケンスＳＱ１２では、図６（ｂ）及び表２に示すように、共通電極２５の電位Ｖcomが、基準電位ＧＮＤ（例えば０Ｖ）に対して負極性のローレベル電位ＶＬに設定される。そして、黒表示される画素１０（ペン２００の軌跡を表示させる画素、黒表示画素）において画素電極２４にハイレベル電位ＶＨが入力される一方、それ以外の表示を変化させない画素１０（非駆動画素）では、画素電極２４にローレベル電位ＶＬ（共通電極２５と同電位）が入力される。
これにより、線書き込みモードでは、ペン２００の軌跡を黒表示する画素１０における電気光学物質層２６（電気泳動素子）への印加電圧（ＶＨ−ＶＬ）が、通常モードにおける印加電圧（ＶＨ−ＧＮＤ）の約２倍となる。その結果、通常駆動シーケンスＳＱ１１を用いてペン２００の軌跡を表示する場合と比較して、より高速にペン２００の軌跡を表示することができる。
【００５４】
次に、消しゴムモードである場合に実行されるステップＳ１０６では、ＣＰＵ１０２は、表示部制御装置１１０に対して消しゴム用高速駆動シーケンスＳＱ１３を設定する。消しゴム用高速駆動シーケンスＳＱ１３では、図６（ｃ）及び表２に示すように、共通電極２５の電位Ｖcomが、基準電位ＧＮＤ（例えば０Ｖ）に対して正極性のハイレベル電位ＶＨに設定される。そして、白表示される画素１０（消しゴムで表示を消される画素、白表示画素）において画素電極２４にローレベル電位ＶＬが入力される一方、それ以外の表示を変化させない画素１０（非駆動画素）では、画素電極２４にハイレベル電位ＶＨ（共通電極２５と同電位）が入力される。
これにより、消しゴムモードでは、ペン２００の軌跡を白表示する画素１０における電気光学物質層２６（電気泳動素子）への印加電圧（ＶＨ−ＶＬ）が、通常モードにおける印加電圧（ＧＮＤ−ＶＬ）の約２倍となる。その結果、通常駆動シーケンスＳＱ１１を用いてペン２００の軌跡上の画像を消去する場合と比較して、より高速に画像を消去することができる。
【００５５】
図５に示すフローに戻り、ステップＳ１０８において通常駆動シーケンスを設定した後は、ペン入力表示動作は終了する。すなわち、手書き入力モード以外でペン入力がされた場合には、駆動シーケンスを通常状態に戻して処理を終了し、電子ブックリーダー１００をその他の処理（例えば表示画像の更新や拡大、縮小表示など）が実行可能な状態とする。
本実施形態では、ステップＳ１０８を強制実行することとしたが、ステップＳ１０８の駆動シーケンスの設定前に、現在の駆動シーケンスの設定状態を確認し、通常駆動シーケンス以外の駆動シーケンスが設定されている場合にのみステップＳ１０８を実行するように構成してもよい。
【００５６】
一方、ステップＳ１０５、Ｓ１０６により線書き込み用高速駆動シーケンスＳＱ１２あるいは消しゴム用高速駆動シーケンスＳＱ１３が設定された後は、ステップＳ１０７に移行する。ステップＳ１０７において、ＣＰＵ１０２は、ステップＳ１０３において取得された入力座標値に基づいてペン２００の軌跡に対応する画像データを含むパネル駆動要求を生成し、表示部制御装置１１０に対して出力する。
【００５７】
パネル駆動要求を受信した表示部制御装置１１０は、ステップＳ１０５又はステップＳ１０６において設定された駆動シーケンスに則って、パネル駆動要求に含まれるペン２００の軌跡の画像データ（線書き込み領域又は消去領域）を電気光学パネル１１２に表示させる。以上によりペン入力表示動作を完了する。
【００５８】
ここで、電気光学パネル１１２に画像を表示させる動作の一例について説明する。以下では、表示部制御装置１１０に出力されるパネル駆動要求において、線書き込み用高速駆動シーケンスＳＱ１２が設定されているものとして説明する。
【００５９】
上記の例において、表示部制御装置１１０の全体制御部１４０は、受信したペン２００の軌跡の画像データを画像データ書込制御部１４１に出力するとともに、線書き込み用高速駆動シーケンスＳＱ１２の画像表示ステップＳＴ１１を実行するための命令を、タイミング信号生成部１４２及び共通電源制御部１４３に出力する。
【００６０】
画像データ書込制御部１４１では、受信したペン２００の軌跡の画像データを、記憶装置制御部１４４を介して記憶装置１１１の次画像保持部１２１に記憶させる。このときに、前画像保持部１２０には、現在表示されているドキュメントのページの画像データが保持されている。
【００６１】
タイミング信号生成部１４２は、画像データ読出制御部１４５に対して、画像表示ステップＳＴ１１で用いる画像データ（前画像及び次画像の画像データ）を記憶装置１１１の次画像保持部１２１から読み出させる命令を出力する。画像データ読出制御部１４５は、記憶装置制御部１４４を介して前画像保持部１２０から前画像の画像データを取得するとともに、次画像保持部１２１から次画像の画像データを取得し、画像信号生成部１４６に出力する。
【００６２】
画像信号生成部１４６では、入力された前画像の画像データと次画像の画像データとの差分データからなる画像信号を生成し、生成した画像信号をタイミング信号とともにデータ線駆動回路１５２に出力する。
選択信号生成部１４７は、タイミング信号生成部１４２の制御のもと、上記差分データを表示させるのに必要なイネーブル信号ＥＮＢを生成し、生成したイネーブル信号ＥＮＢをタイミング信号とともに走査線駆動回路１５１に出力する。より詳しくは、画像信号生成部１４６において算出した差分データにおいて、表示を書き換える画素１０が含まれる走査線Ｇの行の範囲を特定し、かかる範囲の走査線Ｇのみに選択信号が供給されるようにするイネーブル信号ＥＮＢを生成し、走査線駆動回路１５１に供給する。
共通電源制御部１４３は、共通電源１６３に対して、共通電極２５にローレベル電位ＶＬを供給する命令を出力する。
【００６３】
そして、電気光学パネル１１２では、イネーブル信号ＥＮＢを入力された走査線駆動回路１５１と画像信号を入力されたデータ線駆動回路１５２とによって、表示部１５０のうちペン２００で指定された位置に対応する画素１０の画素電極２４にハイレベル電位の画像信号が入力され、それ以外の表示を変化させない画素１０の画素電極２４にはローレベル電位ＶＬが入力される。また、共通電源１６３から共通電極２５にローレベル電位ＶＬが入力される。
上記の動作により、ペン２００の軌跡に対応する位置の画素１０が黒表示され（図６（ｂ）及び図７（ｂ）参照）、前画像が表示されている表示部１５０にペン２００の軌跡が重畳された画像が表示された状態となる。
【００６４】
なお、保持容量２２に保持された画像信号の電位により電気光学物質層２６を駆動する電気光学パネル１１２において、電気光学物質層２６が応答の遅い電気泳動素子などである場合には、通常、保持容量２２の容量を電気泳動素子の表示状態を移行させるのに十分な大きさとすることは困難である。そのため、所望のコントラストの表示が得られるまで、表示部１５０に対して複数フレームにわたる画像表示動作が実行される。すなわち、図６に示した画像表示ステップＳＴ１１が数回〜数十回繰り返し実行されることになる。
【００６５】
上記の電気光学パネル１１２の動作説明では、線書き込み用高速駆動シーケンスＳＱ１２が設定されている場合について説明したが、消しゴム用高速駆動シーケンスＳＱ１３が設定されている場合には、ペン２００の軌跡に対応する領域が白表示され、前画像が部分的に消去される以外は、線書き込みモードと同様の動作である。
【００６６】
以上に説明した本実施形態の電子ブックリーダー１００では、ペン２００を介した手書き入力が行われる際に、通常駆動シーケンスＳＱ１１から線書き込み用高速駆動シーケンスＳＱ１２又は消しゴム用高速駆動シーケンスＳＱ１３に切り換えている。
そして、線書き込み用高速駆動シーケンスＳＱ１２では、黒表示させる画素１０において、通常駆動シーケンスＳＱ１１を用いて画素１０を黒表示させる場合よりも高い電圧を電気光学物質層２６に印加するので、通常モードよりも高速にペン２００の軌跡の線を表示させることができる。
また、消しゴム用高速駆動シーケンスＳＱ１３においても、白表示させる画素１０において、通常駆動シーケンスＳＱ１１を用いて画素１０を白表示させる場合よりも高い電圧を電気光学物質層２６に印加するので、通常モードよりも高速にペン２００の軌跡に対応する部分の画像を消去することができる。
このように本実施形態によれば、ペン２００の軌跡を表示させ、あるいは軌跡に対応する部分を消去するという部分的な画像更新において、より高速な表示を得ることができる。特に、応答速度の遅い電気泳動素子を用いている場合に、手書き入力を高速化することができ、ユーザビリティの向上に大いに寄与する。
【００６７】
（第２実施形態）
以下、第２実施形態について図面を参照しつつ説明する。
第２実施形態は、上記第１実施形態に対して共通電極２５の電位Ｖcomを可変に変更し、さらに電位Ｖcomに合わせて書き込みフレーム数を可変にしたものである。これら以外の構成は上記実施形態と共通である。
【００６８】
図８（ａ）は、第２実施形態に係る線書き込み用高速駆動シーケンスＳＱ１２Ａの画像表示ステップＳＴ１１における駆動波形を示す図である。
図８（ｂ）は、第２実施形態に係る消しゴム用高速駆動シーケンスＳＱ１３Ａの画像表示ステップＳＴ１１における駆動波形を示す図である。
図８（ｃ）は、線書き込み用高速駆動シーケンスＳＱ１２Ａ、消しゴム用高速駆動シーケンスＳＱ１３Ａにおける共通電極２５の電位Ｖcomの設定方法を示す説明図である。
【００６９】
図８（ａ）に示す線書き込み用高速駆動シーケンスＳＱ１２Ａでは、画像表示ステップＳＴ１１において、黒表示画素の画素電極２４の電位Ｖｓがハイレベル電位ＶＨに固定される一方、共通電極２５の電位Ｖcomが、ＧＮＤ、−５Ｖ、−１０Ｖ、−１５Ｖの４段階から選択可能とされている。
図８（ｂ）に示す消しゴム用高速駆動シーケンスＳＱ１３Ａでは、画像表示ステップＳＴ１１において、白表示画素の画素電極２４の電位Ｖｓがローレベル電位ＶＬに固定される一方、共通電極２５の電位Ｖcomが、ＧＮＤ、＋５Ｖ、＋１０Ｖ、＋１５Ｖの４段階から選択可能とされている。
なお、通常モードにおける駆動波形は図５（ａ）に示した通常駆動シーケンスＳＱ１１の場合と同様である。
【００７０】
そして、本例の駆動方法では、図８（ｃ）に示すように、走査線Ｇのうち駆動される走査線の本数に応じて、共通電極２５の電位Ｖcomを段階的に変更するように構成されている。
より詳しくは、駆動行数が１本以上ａ本以下（ａは１以上の自然数）である場合には、線書き込み用高速駆動シーケンスＳＱ１２Ａ及び消しゴム用高速駆動シーケンスＳＱ１３Ａの双方で電位Ｖcomは基準電位ＧＮＤに設定される。
駆動行数がａ本を超えｂ本以下（ｂはａより大きい自然数）である場合には、電位Ｖcomは、線書き込み用高速駆動シーケンスＳＱ１２Ａでは−５Ｖ、消しゴム用高速駆動シーケンスＳＱ１３Ａでは＋５Ｖに設定される。
駆動行数がｂ本を超えｃ本以下（ｃはｂより大きい自然数）である場合には、電位Ｖcomは、線書き込み用高速駆動シーケンスＳＱ１２Ａでは−１０Ｖ、消しゴム用高速駆動シーケンスＳＱ１３Ａでは＋１０Ｖに設定される。
駆動行数がｃ本を超える場合には、電位Ｖcomは、線書き込み用高速駆動シーケンスＳＱ１２Ａでは−１５Ｖ、消しゴム用高速駆動シーケンスＳＱ１３Ａでは＋１５Ｖに設定される。
このように、駆動される走査線の本数が多いほど、電気光学物質層２６に印加される電圧を大きくする。
【００７１】
先に記載のように、電子ブックリーダー１００では、ペン２００の軌跡を表示に反映させる際に、表示部１５０の一部の画素１０のみを駆動する。かかる部分駆動によれば、シフトレジスタ１５１ａにおいて、選択信号を入力しない走査線Ｇに対応する領域の動作クロックを上昇させることができるため、駆動する画素１０と接続された走査線Ｇを選択するまでの時間を短縮することができ、ペン２００の軌跡を高速に表示させることができる。
【００７２】
その一方で、ペン２００の軌跡が短く駆動行数が極端に少ない場合には、１フレーム期間が極めて短時間に終了してしまう。そうすると、保持容量２２に蓄えたエネルギーによって電気光学物質層２６を駆動する時間が短くなるために、通常モードと同様の書き込みフレーム数では十分なコントラストが得られないことがある。かかる現象は、電気光学物質層２６が応答の遅い電気泳動素子である場合に特に顕著である。
【００７３】
そこで、本例では、上記のように駆動行数が少ない場合に、図８（ｃ）に示すように共通電極２５の電位Ｖcomを変更し、電気光学物質層２６に印加する電圧を小さくする。またこのとき、電気光学物質層２６への印加電圧を小さくする一方で、画素１０への書き込み時間を長くする。これにより、保持容量２２に蓄積するエネルギー量を維持しつつ、保持容量２２による電気光学物質層２６の駆動時間を長くすることができるので、応答の遅い電気光学物質層２６においても十分なコントラストを得ることができる。
また、共通電極２５の電位Ｖcomと基準電位ＧＮＤとの電位差を小さくすることで、共通電極２５の電位変更に伴う消費電力を低減することもできる。
【００７４】
なお、駆動行数が極端に少ない場合には、１選択期間の電圧印加時間を長くしても電気光学物質層２６が十分に応答できる時間に満たない場合がある。この場合には、書き込みフレーム数を多くすることで駆動時間を確保すればよい。
【００７５】
（第３実施形態）
第２実施形態では、共通電極２５の電位Ｖcomを可変とした場合について説明したが、図９に示すように、画素電極２４の電位Ｖｓにより電気光学物質層２６への印加電圧を調整してもよい。かかる構成を第３実施形態として以下に説明する。
【００７６】
図９（ａ）に示す線書き込み用高速駆動シーケンスＳＱ１２Ｂでは、画像表示ステップＳＴ１１において、黒表示画素の共通電極２５の電位Ｖcomがローレベル電位ＶＬに固定される一方で、画素電極２４の電位Ｖｓが、ＧＮＤ、＋５Ｖ、＋１０Ｖ、＋１５Ｖの４段階から選択可能とされている。
図９（ｂ）に示す消しゴム用高速駆動シーケンスＳＱ１３Ｂでは、画像表示ステップＳＴ１１において、白表示画素の共通電極２５の電位Ｖcomがハイレベル電位ＶＨに固定される一方で、画素電極２４の電位Ｖｓが、ＧＮＤ、−５Ｖ、−１０Ｖ、−１５Ｖの４段階から選択可能とされている。
【００７７】
図９に示すように画素電極２４の電位Ｖｓを変更可能とした場合にも、第２実施形態と同様に、駆動される走査線の本数が多いほど、電気光学物質層２６に印加される電圧を大きくすることが可能である。したがって、差分データから取得される駆動行数に応じて電位Ｖｓを変更することができ、駆動する走査線Ｇの本数が少なく高速表示が求められない場合などに、データ線Ｓの電圧振幅を小さくして消費電力を低減することができる。
【００７８】
また第３実施形態の駆動方法では、共通電極２５の電位Ｖcomは固定され、駆動行数が変更される毎に変更する必要が無いため、第２実施形態と比較して簡便な駆動方法である。
より詳しくは、第２実施形態の駆動方法では、表示を変化させない画素１０の画素電極２４を電位Ｖcomと同電位としなければならないため、共通電極２５の電位を変化させるのに伴って画素電極２４に印加する電位も変化させる必要がある。
これに対して第３実施形態では、駆動行数に応じて電位を変化させるのは、ペン２００の軌跡に対応する画素１０の画素電極２４に入力する電位Ｖｓのみであり、表示を変化させない画素１０の画素電極２４に印加される電圧は変更しないため、各電極の電位制御が比較的容易である。
【００７９】
なお、以上の各実施の形態では、ペン２００の軌跡を電気光学パネル１１２の表示に反映させる際に用いられる部分駆動を例示して説明したが、本発明の技術的範囲は手書き入力に限定されるものではなく、電気光学パネル１１２の部分的な表示更新であれば本発明の電気光学装置の駆動方法は問題なく適用できる。例えば、表示部１５０の一部に表示されたウィンドウの表示／非表示を切り換える場合やウィンドウ内に動画を表示させる場合などにも、好適に用いることができる。
【符号の説明】
【００８０】
１０  画素、１００  電子ブックリーダー（電気光学装置）、１０１  筐体、１０２  ＣＰＵ（制御部）、１０５  ページ送りボタン、１０６  ページ戻しボタン、１０８  決定ボタン、１１０  表示部制御装置、１１１  記憶装置、１１２  電気光学パネル、１１３  操作部、１１４  入力装置、１１５  スキップ送りボタン、１１６  スキップ戻しボタン、１２０  前画像保持部、１２１  次画像保持部、１４０  全体制御部、１４１  画像データ書込制御部、１４２  タイミング信号生成部、１４３  共通電源制御部、１４４  記憶装置制御部、１４５  画像データ読出制御部、１４６  画像信号生成部、１４７  選択信号生成部、１５０  表示部、１５１  走査線駆動回路、１５２  データ線駆動回路、１６１  ＶＹ電源、１６２  ＶＸ電源、１６３  共通電源、２００  ペン、ＳＱ１１  通常駆動シーケンス、ＳＱ１２，ＳＱ１２Ａ，ＳＱ１２Ｂ  線書き込み用高速駆動シーケンス、ＳＱ１３，ＳＱ１３Ａ，ＳＱ１３Ｂ  消しゴム用高速駆動シーケンス
【図１】
0005447017.tif 000004
【図２】
0005447017.tif 000005
【図３】
0005447017.tif 000006
【図４】
0005447017.tif 000007
【図５】
0005447017.tif 000008
【図６】
0005447017.tif 000009
【図７】
0005447017.tif 000010
【図８】
0005447017.tif 000011
【図９】
0005447017.tif 000012